(57)【特許請求の範囲】
【請求項１】
外部からの水を浄化するあるいは水質を良化する浄水器と、前記浄水器からの水を吐出する開口部である浄水吐出口と、加熱手段を有し前記浄水器からの水を貯め加熱する貯湯容器と、前記貯湯容器の湯を出湯する開口部である出湯口と、前記浄水器からの水の流れを前記浄水吐出口側と前記貯湯容器側に切り換える切り換え弁と、前記貯湯容器内の湯を前記出湯口から器体外に吐出する電動ポンプと、前記貯湯容器内の湯の温度を検出する温度検出手段と、前記貯湯容器内の水位を検出する水位検出手段を備え、前記水位検出手段の検出結果が満水状態でなく、温度検出手段の検出結果が所定温度以上で、所定量の水が浄水器から貯湯容器に給水されたとき、前記加熱手段を所定時間駆動停止して前記所定温度未満になるよう制御する浄水器付き電気湯沸かし器。
【請求項２】
外部から浄水器への給水を制限する給水弁と、前記給水弁の制御を行う給水制御手段を備え、前記給水制御手段は前記給水弁が給水を制限して以降、切り換え弁を切り換える請求項１に記載の浄水器付き電気湯沸かし器。
【発明の詳細な説明】
【０００１】
【発明の属する技術分野】
本発明は、家庭内や事務所等で飲料用の水や湯を提供する浄水器付き電気湯沸かし器に関するものである。
【０００２】
【従来の技術】
従来から使用されている浄水器付き電気湯沸かし器を図５を使用して説明する。浄水器付き電気湯沸かし器は少なくとも活性炭を有する浄水器１と、貯湯容器２内の水を加熱するヒーター４と、貯湯容器２内のお湯を器体外に吐出するための電動ポンプ５と、貯湯容器２内のお湯の温度を検出するための温度検出手段６によって構成している。貯湯容器２内のお湯の温度を一定にするために温度検出手段の温度情報によりヒーター４を加熱制御する。そして、図示していない出湯スイッチを押すと電動ポンプ５が駆動してお湯が吐出される。
【０００３】
【発明が解決しようとする課題】
しかしながら前記従来の浄水器付き電気湯沸かし器は貯湯容器２内のお湯が沸騰するとその発生した蒸気は器体上部にある蒸気弁を通って器体外に出る。沸騰時に器体上部から蒸気が多く出るので火傷等の安全面や設置場所に考慮する必要があるという課題を有している。
【０００４】
また、給水で極端に貯湯容器内の湯の温度が低下する課題と、給水した後で、さらに給水されて湯温が限度を超えて低下するという課題とを有している。
【０００５】
【課題を解決するための手段】
本発明はこのような従来の構成が有している課題を解決するもので、貯湯容器内の湯の温度を検出する温度検出手段と、貯湯容器内の水位を検出する水位検出手段を備え、水位検出手段の検出結果が満水状態でなく、温度検出手段の検出結果が所定温度以上で、所定量の水が浄水器から貯湯容器に給水されたとき、前記加熱手段を所定時間駆動停止して前記所定温度未満になるよう制御することにより、貯湯容器内の湯の温度が高いときに、適量の水を浄水器から供給して極端に貯湯容器内の湯の温度が低下しないようにすることができ、また、給水した後で、さらに給水されて湯温が限度を超えて低下するのを防止することができる。
【０００６】
【発明の実施の形態】
請求項１に記載した発明は、外部からの水を浄化するあるいは水質を良化する浄水器と、前記浄水器からの水を吐出する開口部である浄水吐出口と、加熱手段を有し前記浄水器からの水を貯め加熱する貯湯容器と、前記貯湯容器の湯を出湯する開口部である出湯口と、前記浄水器からの水の流れを前記浄水吐出口側と前記貯湯容器側に切り換える切り換え弁と、前記貯湯容器内の湯を前記出湯口から器体外に吐出する電動ポンプと、前記貯湯容器内の湯の温度を検出する温度検出手段と、前記貯湯容器内の水位を検出する水位検出手段を備え、前記水位検出手段の検出結果が満水状態でなく、温度検出手段の検出結果が所定温度以上で、所定量の水が浄水器から貯湯容器に給水されたとき、前記加熱手段を所定時間駆動停止して前記所定温度未満になるよう制御する浄水器付き電気湯沸かし器とすることにより、貯湯容器内の湯の温度が高いときに、適量の水を浄水器から供給して極端に貯湯容器内の湯の温度が低下しないようにすることができ、また、給水した後で、さらに給水されて湯温が限度を超えて低下するのを防止することができる。
【０００７】
請求項２に記載した発明は、請求項１の構成で、特に、外部から浄水器への給水を制限する給水弁と、前記給水弁の制御を行う給水制御手段を備え、前記給水制御手段は前記給水弁が給水を制限して以降、切り換え弁を切り換えるようにすることで、外部からの給水が高圧であっても、切り換え弁が安定して切り替わるようにする浄水器付き電気湯沸かし器を実現したものである。
【０００８】
【実施例】
以下、本発明の実施例について図面を用いて説明する。
【０００９】
（参考例１）
図１は本発明の参考例の構成を示すブロック図である。１３は水道蛇口１０からの水を給水したり止水したりする給水弁である。１は活性炭や中空糸フィルタからなる浄水器で、一方は給水弁１３に接続され、他方は切り換え弁３に接続されている。２は貯湯容器でヒーター４により貯湯容器内の水を加熱する。３は浄水器１から浄水の流れを浄水吐出口１１側と貯湯容器２側へ切り換える切り換え弁である。５は貯湯容器２内のお湯を出湯口１２に吐出するための電動ポンプである。６は貯湯容器２内のお湯の温度を検出するための温度検出手段である。１４は貯湯容器２内のお湯を排出するお湯排水経路で、お湯排水弁１５の開閉で調節する。７は貯湯容器２内で発生した蒸気を器体外に出す蒸気排出経路である。８は蒸気排出経路７を通る蒸気温度を検出するための蒸気温度検出手段である。
【００１０】
以下本参考例の動作について説明する。まず、浄水された水を利用したい場合、図示していない浄水スイッチを押すことにより、切り換え弁３を浄水器１から得た浄水を浄水吐出口１１側へ流れるように切り換える。そして、給水弁１４を開くことにより、この水路で水道蛇口１０からの原水は浄水器１を通って浄水されて浄水吐出口１１から吐出される。
【００１１】
次に、浄水されたお湯を利用したい場合、貯湯容器２に給水するには切り換え弁３を浄水器１から得た浄水を貯湯容器２側へ流れるように切り換え、給水弁を開くことによって出来る。貯湯容器２に蓄えられた浄水はヒーター４により加熱される。そして、図示していない出湯スイッチを押すと押している間だけ電動ポンプ５が駆動して貯湯容器２内のお湯を出湯口１２より吐出する。
【００１２】
次に、温度検出手段６と蒸気温度検出手段８を用いた沸騰検知について説明をする。ヒーター４で加熱すると貯湯容器２内の水が加熱され温度が上昇する。この時、温度検出手段６によって得られる温度情報と実際のお湯の温度は、少量のお湯の場合では温度検出手段６の追従性は悪くなり得られる温度情報は低いものとなる。よって、お湯が１００℃になっても温度検出手段６より得られる温度情報が１００℃になるまでお湯を加熱し続ける。これにより、蒸気が多く器体外に出る。本発明ではこのように少量のお湯の場合でも蒸気排出経路７内に蒸気温度検出手段８を備えて、蒸気を検出することで沸騰状態と判断してヒーター４の加熱を停止するので器体外に蒸気が出ることはなくなる。
【００１３】
貯湯容器２が満水状態の場合は加熱時間が長くなるので温度検出手段６の追従性はよくなるので温度検出手段６より得られる温度情報で沸騰状態と判断してヒーター４の加熱を停止するので器体外に蒸気が出ることはない。もし、蒸気温度検出手段８で蒸気を検出するまで加熱し続けると貯湯容器２からお湯が噴きこぼれてしまう。
【００１４】
以上のように雰囲気温度や貯湯容器２内のお湯の初期温度、量等で温度検出手段６の追従性が悪くても、温度検出手段６、蒸気温度検出手段８のはやく沸騰検知した方で沸騰状態と判断することにより器体外に蒸気が出ることはなくなる。
【００１５】
（実施例１）
以下、本発明の第一の実施例について説明する。図２は本発明の実施例１の構成を示すブロック図である。浄水器付き電気湯沸かし器の構成要素において、図１と同番号は参考例と同様のものである。２０は貯湯容器２内の水位を検出するための水位検出手段である。２１は貯湯容器２内に浄水を給水する場合に貯湯容器２内のお湯の温度が極度に低下しないように制御するための一定温度制御手段である。
【００１６】
以下本実施例の動作について説明する。一定温度制御手段２１は貯湯容器２内のお湯の温度が一定になるようにヒーター４の加熱をオンしたりオフしたりしている。ここでは９５℃で温度調整をしているとする。次に給水は貯湯容器２の水位を水位検出手段２０で検出して満水状態でなく。かつ、お湯の温度が９５℃以上の時、一定量の浄水を貯湯容器２内に給水できるようにする。この時の給水量は貯湯容器２が１Ｌから２Ｌでは１００ｍＬぐらいが適当である。以上より貯湯容器２内のお湯の温度が高いときに給水するので温度が極度に低下しないように給水することができる。
【００１７】
（実施例２）
以下、本発明の第二の実施例について説明する。図３は本発明の実施例２の構成を示すブロック図である。浄水器付き電気湯沸かし器の構成要素において、図１と同番号は第一の実施例と同様のものである。３０はヒーター４の加熱オフ時間を計る計時手段である。
【００１８】
以下本実施例の動作について説明する。一定温度制御手段２１は貯湯容器２内のお湯の温度が一定になるようにヒーター４の加熱をオンしたりオフしたりしている。ここでは９５℃で温度調整をしているとする。次に給水は貯湯容器２の水位を水位検出手段２０で検出して満水状態でなく。かつ、お湯の温度が９５℃以上の時、一定量の浄水を貯湯容器２内に給水できるようにする。この時、お湯の温度に関係なくヒーター４の加熱をオフにする。そして計時手段３０で時間を計り決められた時間が過ぎると一定温度制御手段２１がヒーター４の加熱をオンにする。この時の加熱オフ時間は貯湯容器２が１Ｌから２Ｌで給水量が１００ｍＬの場合１０秒ぐらいが適当である。もし、この加熱オフ時間がなければ貯湯容器２内のお湯が多い場合で一定量給水した後でもお湯の温度が９５℃未満にならないとき、再び一定量給水してしまいお湯の温度が極度に低下する。
【００１９】
以上より加熱オフ時間があるので給水されると９５℃未満になり確実にヒーターの加熱オン期間が入るのでお湯の温度が極度に低下することが防止できる。
【００２０】
（実施例３）
以下、本発明の第三の実施例について説明する。図４は本発明の実施例３の構成を示すブロック図である。浄水器付き電気湯沸かし器の構成要素において、図１と同番号は第一の実施例と同様のものである。４０は水道水圧が高い場所でも浄水器１から得た浄水を浄水吐出口１１側、または、貯湯容器２側へ流れるように切り換えるように給水弁１３と切り換え弁３の切り換えタイミングを制御するための給水制御手段である。
【００２１】
以下本実施例の給水制御手段の切り換え弁３を浄水吐出口１１側から貯湯容器２側へ切り換える動作を説明する。まず、給水弁１３をオフにして水道蛇口１０から水圧がかからないようにする。そして、水道蛇口１０から水圧がかかっている間は切り換え弁３は切り換えをしない。給水弁１３をオフにして数百ミリ秒すると切り換え弁３にかかる水圧が低下するので、この時に切り換え弁３を貯湯容器２側へ切り換え、給水弁をオンにして給水する。
【００２２】
もし、給水弁１３をオフした後すぐに切り換え弁３を切り換えようとするが水圧のため切り換わらない。この場合、浄水は浄水吐出口１１側に吐出され貯湯容器２に給水されないためお湯の温度が上がりやすくなる。以上より給水制御手段４０で切り換え弁３を確実に切り換わるように給水弁１３をオフにして数百ミリ秒待って貯湯容器２側に切り換えて給水することによりお湯の温度が極度に上昇しないようにしている。
【００２３】
【発明の効果】
本発明の請求項１〜２によれば、給水で極端に貯湯容器内の湯の温度が低下しないようにすることができ、また、給水した後で、さらに給水されて湯温が限度を超えて低下するのを防止することができ、したがって、給湯温度の安定した浄水器付き電気湯沸かし器を実現するものである。
【図面の簡単な説明】
【図１】  本発明の参考例の浄水器付き電気湯沸かし器を示すブロック図
【図２】  本発明の実施例１の浄水器付き電気湯沸かし器を示すブロック図
【図３】  本発明の実施例２の浄水器付き電気湯沸かし器を示すブロック図
【図４】  本発明の実施例３の浄水器付き電気湯沸かし器を示すブロック図
【図５】  従来例である浄水器付き電気湯沸かし器を示すブロック図
【符号の説明】
１  浄水器
２  貯湯容器
３  切り換え弁
４  ヒーター
５  電動ポンプ
６  温度検出手段
７  蒸気排出経路
８  蒸気温度検出手段
１０  水道蛇口
１１  浄水吐出口
１２  出湯口
１３  給水弁
１４  お湯排水経路
１５  お湯排水弁
２０  水位検出手段
２１  一定温度制御手段
３０  計時手段
４０  給水制御手段
【図１】
0003659185.tif 000002
【図２】
0003659185.tif 000003
【図３】
0003659185.tif 000004
【図４】
0003659185.tif 000005
【図５】
0003659185.tif 000006